(57)【要約】【課題】高い伸縮特性と高品質の接触特性とを兼ね備えた女性用ブラジャーを提供する。【解決手段】このブラジャーは、ポリウレタン糸Ｐｕ、ナイロン糸Ｎおよび綿糸Ｃを含む経編地で編成されたパワーネット生地を少なくとも一部に用いて、このパワーネット生地は、綿糸Ｃが経編みにおいて挿入組織で編成されておらず、綿糸Ｃがパワーネット生地の片面において実質的に全面に露出しており、この綿糸Ｃが露出した面側を後身頃であるバック部および／またはブラジャーの肩ひもの肌側に配置したことを特徴とする。このブラジャーの着用時に着用者の肌側においては、パワーネット生地において綿糸が実質的に全面に露出しており、綿糸以外の繊維が着用者の肌に触れることがない。【選択図】図４
2015166507.tif 000002
【特許請求の範囲】
【請求項１】
弾性糸、非伸縮性合成繊維および吸湿性繊維を含む経編地で編成されたパワーネット生地を少なくとも一部に用いた上半身用衣類であって、
前記吸湿性繊維が経編みにおいて挿入組織で編成されておらず、
前記吸湿性繊維が、前記パワーネット生地の片面側において実質的に全面に露出し、
前記片面側を肌側に配置したことを特徴とする上半身用衣類。
【請求項２】
前記衣類は、女性用のブラジャーであることを特徴とする、請求項項１に記載の上半身用衣類。
【請求項３】
前記ブラジャーの後身頃であるバック部または／および肩ひもにおいて、前記吸湿性繊維である綿糸以外の素材が前記ブラジャーの着用者の肌に触れないことを特徴とする、請求項２に記載の上半身用衣類。
【発明の詳細な説明】
【技術分野】
【０００１】
本発明は、主として女性用のインナーウェアに関し、特に、高い伸縮性と高品質な肌触りとを兼ね備えた経編みのパワーネット生地を用いたファンデーションの一例であるシャツやブラジャー等の上半身用衣類に関する。
【背景技術】
【０００２】
従来、パンツ、ガードル、ボディスーツなどのインナーウェア用編地としては、ナイロンなどの合成繊維からなる非弾性糸とポリウレタン弾性糸を、トリコット機またはラッセル機で編成した経編弾性生地、あるいは、丸編機で編成した天竺編地が用いられていた。このような伸縮性経編地は、その用途に合わせて、タテヨコそれぞれの方向の伸度や、身体に対する緊締力その他の特性（これらを伸張特性と記載する）を適当な条件に設定しなければならない。
【０００３】
このような機能に加えて、インナーウェアは、直接肌に触れるために肌触りの良い特性や、吸湿性が高い特性（これらを接触特性と記載する）が求められる。上述したインナーウェアではないものの、伸縮性を備えかつ直接肌に触れる衣類として靴下があり、実用新案登録第３１７２０４１号公報（特許文献１）は、足の肌に直接的に触れて汗等の水分を吸収でき、かつ表面積が広くできて乾燥も速くできる吸湿速乾靴下を開示する。この吸湿速乾靴下は、綿等の天然繊維糸を弾性糸の芯糸にカバーリングし、この天然繊維糸をカバーリングしたカバーリングヤーンを裏糸として表糸とともに編組して靴下を編成したことを特徴とする。
【先行技術文献】
【特許文献】
【０００４】
【特許文献１】実用新案登録第３１７２０４１号公報
【発明の概要】
【発明が解決しようとする課題】
【０００５】
上述した特許文献１に開示されたように、弾性糸（ポリウレタン）を芯糸として綿糸でカバリングしたカバリング糸を用いて編成して、伸張特性および接触特性を兼ね備えた編地を製造することも可能である。
しかしながら、このようなカバリング糸を用いて編成した編地では、芯糸である弾性糸と捲糸である綿糸との伸縮性が異なり、弾性糸が伸びると捲糸である綿糸ではなく弾性糸や場合によっては編成時に使用した綿糸以外の編糸が肌に触れてしまう可能性がある。これでは、高品質の接触特性を実現することができない。
【０００６】
本発明は、従来技術の上述の問題点に鑑みて開発されたものであり、その目的とするところは、高い伸縮特性と高品質の接触特性とを兼ね備えた、片面に綿しか露出しないパワーネット生地を用いて肌側に綿しか露出しない上半身用衣類を提供することを目的とする。
【課題を解決するための手段】
【０００７】
上記目的を達成するため、本発明に係るパワーネット生地を用いた上半身用衣類は以下の技術的手段を講じている。
すなわち、本発明のある局面に係る上半身用衣類は、弾性糸、非伸縮性合成繊維および吸湿性繊維を含む経編地で編成されたパワーネット生地を少なくとも一部に用いた衣類であって、前記吸湿性繊維が経編みにおいて挿入組織で編成されておらず、前記吸湿性繊維が、前記パワーネット生地の片面側において実質的に全面に露出し、前記片面側を肌側に配置したことを特徴とする。
【０００８】
好ましくは、前記上半身用衣類は、女性用のブラジャーであるように構成することができる。
さらに好ましくは、前記ブラジャーの後身頃であるバック部または／および肩ひもにおいて、前記吸湿性繊維である綿糸以外の素材が前記ブラジャーの着用者の肌に触れないように構成することができる。
【０００９】
さらに好ましくは、前記実質的に全面に露出しているとは、非伸張状態において前記パワーネット生地の片面を１倍から２００倍までの範囲で拡大して観察した場合に、前記吸湿性繊維以外の繊維が目視できないことを意味するように構成することができる。
さらに好ましくは、前記弾性糸はポリウレタン糸であって、前記非伸縮性合成繊維はナイロン糸であって、前記吸湿性繊維は綿糸であるように構成することができる。
【００１０】
さらに好ましくは、前記肌側において吸湿性繊維以外の繊維が着用者の肌に触れないように、前記片面側を肌側に配置するように構成することができる。
【発明の効果】
【００１１】
本発明によれば、高い伸縮特性と高品質の接触特性とを兼ね備えた、片面に綿しか露出しないパワーネット生地を用いて肌側に綿しか露出しない上半身用衣類を提供することができる。
【図面の簡単な説明】
【００１２】
【図１】本発明の実施の形態に係るブラジャーに使用されるパワーネット生地をタテヨコ両方向に引っ張りながら撮影した表面を示す図であって、（Ａ）は肌側（綿側）、（Ｂ）は外側（ナイロン側）を示す。
【図２】図１のパワーネット生地をナイロン易染色性の染料で染めた後に引っ張りながら撮影した表面を示す図であって、（Ａ）は肌側（綿側）、（Ｂ）は外側（ナイロン側）を示す。
【図３】図２の拡大図であって、（Ａ）は肌側（綿側）、（Ｂ）は外側（ナイロン側）を示す。
【図４】図１のパワーネット生地の表面を模式的に示した図であって、（Ａ）は肌側（綿側）、（Ｂ）は外側（ナイロン側）を示す。
【図５】図１のパワーネット生地を非伸張状態で繊維識別（鑑別用染料カヤステインＱ(kayastainQ)）した結果を示す図であって、（Ａ）は肌側（綿側）、（Ｂ）は外側（ナイロン側）を示す。
【図６】図１のパワーネット生地の肌側（綿側）を非伸張状態で電子顕微鏡で観察した結果を示す図（その１）である。
【図７】図６との比較のための綿１００％フライス編地を電子顕微鏡で観察した結果を示す図である。
【図８】図１のパワーネット生地の肌側（綿側）を非伸張状態で電子顕微鏡で観察した結果を示す図（その２）である。
【図９】図８との比較のための綿１００％フライス編地を電子顕微鏡で観察した結果を示す図である。
【図１０】図１のパワーネット生地の肌側（綿側）をデジタルマイクロスコープで観察した結果を示す図（非伸張状態）である。
【図１１】図１のパワーネット生地の肌側（綿側）をデジタルマイクロスコープで観察した結果を示す図（伸張状態）である。
【図１２】本発明の実施の形態に係るブラジャーを示す斜視図である。
【発明を実施するための形態】
【００１３】
以下、本発明の実施の形態に係るパワーネット生地を用いた上半身用衣類について、図面に基づき詳しく説明する。本実施の形態においては上半身用衣類の一例としてブラジャーについて説明する。このブラジャーを説明する前に、このブラジャーに使用されるパワーネット生地について説明する。なお、パワーネットとは、ＪＩＳ  Ｌ０２１４に「弾性糸などを編み込み経方向に対して著しい弾性力を与えた編みレース」と定義されているが、本発明においては「弾性糸使いの経編地」を「パワーネット」であるとして説明する。また、本発明に係る上半身用衣類は、ブラジャーに限定されるものではなくシャツ等であっても構わない。
【００１４】
［パワーネット生地］
この衣類に用いられるパワーネット生地（経編地）は、吸湿性繊維の一例である綿糸（図面上では符号Ｃで示す）を最前面の筬に配置しループを形成し（綿糸を挿入糸として使
用するのでなく）、弾性糸の一例であるポリウレタン糸（図面上では符号Ｐｕで示す）および非伸縮性合成繊維の一例であるナイロン糸（図面上では符号Ｎで示す）とともにラッセル経編地を編成するという製造方法で編成している。この製造方法により編成されたパワーネット生地（ラッセル経編地）は、生地の表側（ラッセル編み機における表側）が綿糸で完全に覆われ、このパワーネット生地を裏使いで使用する（パワーネット生地の表側が肌側になるようにパワーネット生地を裏使いで衣類を製造する）ことにより、衣類の肌側において綿糸が実質的に全面に露出している（綿１００％（実質的な１００％を含む意味））状態を実現する。
【００１５】
このような製造上の特徴以外については、公知の経編み機で公知の経編み組織を編成すれば良いので、ここでの詳細な説明は繰り返して記載しない。なお、非伸縮性合成繊維はナイロン糸ではなくポリエステル糸等であっても構わない。
図１〜図４に、本実施の形態に係るパワーネット生地の編み組織を説明するために、タテヨコ両方向に引っ張りながら（非伸張状態ではない）撮影した表面を示す図（図１）、ナイロン易染色性の染料によりナイロン糸を黒く染色した後を示す図（図２）、その拡大図（図３）および模式図（図４）を示す。これらの図１〜図４においては、（Ａ）は肌側（綿側）であって、（Ｂ）は外側（ナイロン側）である。
【００１６】
図１（Ａ）、図２（Ａ）、図３（Ａ）および図４（Ａ）に示す、肌側（綿側）においては、ポリウレタン糸およびナイロン糸よりも綿糸のループが最も紙面手前側に配置されており、ポリウレタン糸およびナイロン糸は綿糸のループよりも紙面奥側に配置され、最も紙面奥側にナイロン糸が配置されていることがわかる。
これに対して、図１（Ｂ）、図２（Ｂ）、図３（Ｂ）および図４（Ｂ）に示す、外側（ナイロン側）においては、綿糸のループよりもポリウレタン糸およびナイロン糸が最も紙面手前側に配置されており、綿糸のループはポリウレタン糸およびナイロン糸よりも紙面奥側に配置され、最も紙面奥側に綿糸のループが配置されていることがわかる。
【００１７】
このような編み組織は、図４（Ａ）および図４（Ｂ）に示す模式図において、特に顕著に表れている。図４（Ａ）に示すように綿糸（綿糸のループ）が紙面手前側の面（パワーネット生地の片面）において実質的に全面に露出している。
このような編み組織で編成された本実施の形態に係るパワーネット生地を非伸張状態においてこの紙面手前側の面（パワーネット生地の片面）を１倍から２００倍までの範囲で拡大して観察した場合について説明する。
【００１８】
図５に、本実施の形態に係るパワーネット生地を非伸張状態で繊維識別した結果を示す。この繊維識別においては、鑑別用染料カヤステインＱ(kayastainQ)）を用いている。この図５においても、（Ａ）は肌側（綿側）であって、（Ｂ）は外側（ナイロン側）である。なお、この図５の倍率は２００倍程度である。
非伸張状態のパワーネット生地の肌側（綿側）の片面を観察した場合に、
図５（Ａ）に示すように綿糸以外の繊維（ここではポリウレタン糸およびナイロン糸）が目視で確認できないが、外側（ナイロン側）の片面を観察した場合に、図５（Ｂ）に示すように綿糸に加えてナイロン糸が目視で確認できる
次に、図６に、本実施の形態に係るパワーネット生地を非伸張状態で電子顕微鏡で観察した結果を示す。この図６は肌側（綿側）のみを示す。また、この図６との比較のための綿１００％フライス編地を電子顕微鏡で観察した結果を図７に示す。なお、これらの図６および図７の倍率は２００倍程度である。
【００１９】
非伸張状態のパワーネット生地の肌側（綿側）の片面を倍率２００倍程度で観察した場合に、図６に示すように綿糸以外の繊維（ここではポリウレタン糸およびナイロン糸）が目視で確認できず、図７に示すように綿１００％フライス編地と大きな差異がみられない。
また、これらの図６を拡大して、本実施の形態に係るパワーネット生地を非伸張状態で電子顕微鏡で観察した結果を、図８に示す。この図８も肌側（綿側）のみを示す。また、この図８との比較のための綿１００％フライス編地を電子顕微鏡で観察した結果を図９に示す。なお、これらの図８および図９の倍率は１０００倍程度である。
【００２０】
非伸張状態のパワーネット生地の肌側（綿側）の片面を倍率１０００倍程度で観察した場合であっても、図８に示すように綿糸以外の繊維（ここではポリウレタン糸およびナイロン糸）が目視で確認できず、図９に示すように綿１００％フライス編地と大きな差異がみられない。
この点において、本実施の形態に係るパワーネット生地の片面において実質的に全面に綿糸が露出しているとは、非伸張状態においてパワーネット生地の片面を１倍から１０００倍までの範囲で拡大して観察した場合に、綿糸以外の繊維が目視できないことを意味し、特に好ましくは１倍から２００倍までの範囲で拡大して観察した場合に、綿糸以外の繊維が目視できないことを意味すると考えられる。
【００２１】
さらに、図１０に、本実施の形態に係るパワーネット生地の肌側（綿側）を非伸張状態でデジタルマイクロスコープで観察した結果を示す。また、図１１に、本実施の形態に係るパワーネット生地の肌側（綿側）を伸張状態（ただし図１〜図４における伸張状態よりも緩やかな伸張状態である）でデジタルマイクロスコープで観察した結果を示す。なお、これらの図１０および図１１の倍率は２００倍程度である。
【００２２】
これらの図１０および図１１からわかるように、非伸張状態であっては、図１０に示すように本実施の形態に係るパワーネット生地の肌側（綿側）には綿糸以外の繊維（ここではポリウレタン糸およびナイロン糸）が目視で確認できず、さらに、緩やかな伸張状態であっても、図１１に示すように本実施の形態に係るパワーネット生地の肌側（綿側）には綿糸以外の繊維（ここではポリウレタン糸およびナイロン糸）が目視で確認できない。
【００２３】
この点において、本実施の形態に係るパワーネット生地の片面において実質的に全面に綿糸が露出しているとは、非伸張状態または緩やかな伸張状態においてパワーネット生地の片面を１倍から１０００倍（好ましくは２００倍）までの範囲で拡大して観察した場合に、綿糸以外の繊維が目視できないことを意味すると考えられる。そして、この緩やかな伸張状態とは、編み組織が明確に理解できるようにするために（図１〜図４に示すように）大きく伸張させるのではなく、後述するように、本実施の形態に係るパワーネット生地を少なくとも一部に用いた衣類を着用した場合の伸張状態を模擬している。
【００２４】
［パワーネット生地を用いた上半身用衣類の一例であるブラジャー］
次に、上述したパワーネット生地を少なくとも一部に用いた上半身用衣類の一例である女性用のブラジャー１００について説明する。
本実施の形態に係るブラジャー１００は、少なくともその一部に上述したパワーネット生地を用いたものであって、ブラジャー１００の特定の部分において綿糸以外の繊維が着用者の肌に触れないように、綿糸が実質的に全面に露出する面側を肌側に配置したことを特徴とする。なお、ブラジャー１００の全部に上述したパワーネット生地を用いることも可能ではあるが、ブラジャー本来の機能（たとえば乳房の保形性）を発現させるために、後述するようにブラジャー１００の一部（特定の部分）に上述したパワーネット生地を、綿糸が実質的に全面に露出する面側を肌側に配置することが好ましい。
【００２５】
ブラジャー１００の着用時に上述したパワーネット生地は伸張する。この伸張状態は、本発明においては、上述の緩やかな伸張状態で模擬されている。このため、このブラジャー１００の着用時に着用者の肌側においては、パワーネット生地において綿糸が実質的に全面に露出しており、ブラジャー１００の特定の部分において綿糸以外の繊維が着用者の肌に触れることがない。このため、このブラジャー１００の特定の部分においては、肌が綿のみに触れるために、肌触りの良い特性および吸湿性が高い特性を実現することができる。
【００２６】
図１２に本実施の形態に係るブラジャー１００の斜視図（（Ａ）は外側、（Ｂ）は内側））を示す。なお、ブラジャーの構造には様々なものがあり、本発明は特定の構造に限定されるものではなく、上述した特性を発現できる構造を備えたものであれば、どのようなブラジャーの構造であっても、ブラジャーを構成する上述したパワーネット生地以外の生地の種類、生地の型紙およびその縫製（ただし少なくとも特定の部分についての縫製糸は綿糸）がどのようなものであっても構わない。そのため、以下に示すブラジャーの構造自体は単なる例示でしかない。
【００２７】
また、このブラジャーは複数の生地片（パーツ）から形成され、これらのパーツを縫製したものであって、その縫製において上述したパワーネット生地の肌側の反対面がブラジャー１００の特定の部分において着用者の肌に触れないように縫製されている。
図１２（Ａ）および図１２（Ｂ）に示されるように、このブラジャー１００は、大略的には、左カップ部１１０Ｌおよび右カップ部１１０Ｒと、左バック部１２０Ｌおよび右バック部１２０Ｒとを有するとともに、左カップ部１１０Ｌおよび右カップ部１１０Ｒの上辺部分と左バック部１２０Ｌおよび右バック部１２０Ｒの上辺中途部分とを、左右別々にそれぞれ連結する左肩ひも１４０Ｌおよび右肩ひも１４０Ｒを備えている。そして、左カップ部１１０Ｌと右カップ部１１０Ｒとはその中央部の連結部１３０において連結されている。
【００２８】
また、左バック部１２０Ｌと右バック部１２０Ｒとは、それぞれの反カップ側に設けられた雄雌の係止具により、係脱自在に構成されている。なお、図１２（Ｂ）には左バック部１２０Ｌの雌側（雄側であっても構わない）の係止具のみを隠れ線（点線）で図示している。なお、左肩ひも１４０Ｌおよび右肩ひも１４０Ｒに備えられた、肩ひもの長さを調整する調整部（エイトカン、ゼットカン等）は図示していない。
【００２９】
左カップ部１１０Ｌおよび右カップ部１１０Ｒの周りには非伸縮性生地で構成し、後身頃であるバック部（左バック部１２０Ｌ、右バック部１２０Ｒ）は上述したパワーネット生地で構成されている。左カップ部１１０Ｌおよび右カップ部１１０Ｒは乳房を保形するために碗形状に形成されており、表地１１２と裏地１１４とから構成されていて、裏地１１４はある程度の厚みを有するたとえばポリウレタンフォーム等のパット生地で構成され、その肌側面には綿天竺等の編地を用いることが好ましい。
【００３０】
なお、ブラジャー１００は、カップ形状を美しく保形するためのワイヤ（硬質樹脂製、金属製、形状記憶合金製、形状記憶樹脂製）を備えるタイプであっても、カップおよびその周り（土台生地等）を非伸縮性編織生地で構成してプレス成形したワイヤレスブラジャーであっても構わない。
このようなブラジャー１００において、上述したパワーネット生地がブラジャー１００の着用時に肌側において綿糸以外の繊維が着用者の肌に触れないように、綿糸が実質的に全面に露出する面側を肌側に配置されている特定の部分がある。この特定の部分の一例としては、後身頃であるバック部（左バック部１２０Ｌ、右バック部１２０Ｒ）および／または肩ひも（左肩ひも１４０Ｌ、右肩ひも１４０Ｒ）が挙げられる。このようなブラジャー１００を縫製する場合において、バック部および／または肩ひもを端部処理するにあたり、このパワーネット生地で構成された２つのパーツを縫製する場合には、縫製後に着用者の肌に綿糸以外の繊維が触れないように、パワーネット生地の表裏が選択され、折り返し等を施して縫製される。
【００３１】
さらに、このブラジャー１００の特定の部分における縫製糸は全て綿糸（たとえば８０番手）で構成される。また、商品品番、サイズ等の商品情報はこのようなブラジャーを含め衣類では一般的には商品情報が印字されたタグが肌側へ縫い付けられる。このブラジャー１００においては、生地に商品情報を直接印字してこのようなタグを縫い付けていない。このようにすることにより、綿糸（縫製糸を含む）以外が、着用者の肌に触れることが少なくなる。なお、縫製糸が綿糸であっても、縫い目を幅に触れないように縫い目を内包して縫製することも好ましい。
【００３２】
このように、上述したように綿糸が経編みにおいて挿入組織で編成されておらず、この綿糸がパワーネット生地の片面側において実質的に全面に露出するように編成されたパワーネット生地を用いて、上述したように縫製されたこのブラジャー１００は、このようにパワーネット生地が用いられた特定の部分において硬くなく伸びが優しく（伸び感が着用者の意識に合致する感覚）天然繊維である綿の長所が非常に活かされたものとなる。
【００３３】
以上のようにして、本実施の形態に係るパワーネット生地を少なくとも一部に用いたブラジャー（上半身用衣類）によると、非伸張状態および着用時を模擬した伸張状態において、特定の部分において綿糸がパワーネット生地の片面であってブラジャー（上半身用衣類）の肌側の全面に実質的に露出させることができる。その結果、特定の部分において高
い伸縮特性と高品質の接触特性とを兼ね備えたブラジャー（上半身用衣類）を提供することができる。
【００３４】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３５】
本発明は、主として女性用の衣類（パンツ、ガードルおよびブラジャーなどのファンデーション）に好適であり、高い伸縮性と高品質な肌触りとを兼ね備えた上半身用衣類に特に好適である。
【符号の説明】
【００３６】
Ｃ  綿糸
Ｎ  ナイロン糸
Ｐｕ  ポリウレタン糸
１００  ブラジャー
【図１２】
2015166507.tif 000003
【図１】
2015166507.tif 000004
【図２】
2015166507.tif 000005
【図３】
2015166507.tif 000006
【図４】
2015166507.tif 000007
【図５】
2015166507.tif 000008
【図６】
2015166507.tif 000009
【図７】
2015166507.tif 000010
【図８】
2015166507.tif 000011
【図９】
2015166507.tif 000012
【図１０】
2015166507.tif 000013
【図１１】
2015166507.tif 000014